(57)【要約】      （修正有）【課題】空間を効果的に照明し、照明される部分の意匠性を向上させることができる照明装置を提供する。【解決手段】照明装置１０は、一対の主面２０ａ、２０ｂと、一対の主面２０ａ、２０ｂの間に位置する側面と、を有し、側面のうち第１方向における一側に位置する部分が入光面２０ｃをなす、導光板２０と、入光面２０ｃに対面して配置された光源３０と、を備えている。この光源３０は、光を発光する発光体３１と、発光体３１と導光板２０との間に配置され、導光板２０に対して発光体３１からの光を誘導する光学部材３２と、を有している。また、発光体３１と光学部材３２とを収容する筐体３３が設けられている。【選択図】図１
2019075352.tif 000002
【特許請求の範囲】
【請求項１】
一対の主面と、一対の前記主面の間に位置する側面と、を有し、前記側面のうち第１方向における一側に位置する部分が入光面をなす、導光板と、
前記入光面に対面して配置された光源と、を備え、
前記光源は、発光体と、前記発光体と前記導光板との間に配置され、前記導光板に対して前記発光体からの光を誘導する光学部材と、を有する、照明装置。
【請求項２】
前記光学部材は、シリンドリカルレンズである、請求項１に記載の照明装置。
【請求項３】
前記光学部材は、前記導光板の前記入光面に対向する出光面を含む補助導光板である、請求項１に記載の照明装置。
【請求項４】
前記発光体は、発光ダイオードを含む、請求項１乃至３のいずれか一項に記載の照明装置。
【請求項５】
前記発光体は、レーザー光を射出するレーザー光源を含む、請求項１乃至３のいずれか一項に記載の照明装置。
【請求項６】
前記光源は、複数の前記発光体を有し、複数の前記発光体の間で、光束量、配列ピッチおよび発光スペクトルのうち少なくとも１つが異なる、請求項１乃至５のいずれか一項に記載の照明装置。
【請求項７】
前記側面のうち前記第１方向における他側に位置する部分が、光反射機能、光吸収機能、光散乱機能および光偏向機能のうち少なくとも１つの機能を持つ、請求項１乃至６のいずれか一項に記載の照明装置。
【請求項８】
前記発光体からの光の射出を制御する発光制御部を更に備えた、請求項１乃至７のいずれか一項に記載の照明装置。
【請求項９】
人間の存在を感知する人感センサを更に備え、前記発光制御部は、前記人感センサが前記人間を感知した場合に、前記発光体から前記光を射出する、請求項８に記載の照明装置。
【請求項１０】
前記導光板は、前記光源に対して移動可能である、請求項８または９に記載の照明装置。
【請求項１１】
前記導光板の前記光源に対する位置を検知する位置センサを更に備え、前記発光制御部は、前記導光板の前記光源に対する位置に応じて、前記発光体からの前記光の射出を制御する、請求項１０に記載の照明装置。
【請求項１２】
一対の主面と、一対の前記主面の間に位置する側面と、を有し、前記側面のうち第１方向における一側に位置する部分が入光面をなす、導光板と、
前記入光面に対面して配置された光源と、を備え、
前記光源は、複数の発光体を有し、複数の前記発光体の間で、光束量、配列ピッチおよび発光スペクトルのうち少なくとも１つが異なる、照明装置。
【請求項１３】
一対の主面と、一対前記主面の間に位置する側面と、を有し、前記側面のうち第１方向における一側に位置する部分が入光面をなす、導光板と、
前記入光面に対面して配置された光源と、を備え、
前記側面のうち前記第１方向における他側に位置する部分が、光反射機能、光吸収機能、光散乱機能および光偏向機能のうち少なくとも１つの機能を持つ、照明装置。
【請求項１４】
一対の主面と、一対前記主面の間に位置する側面と、を有し、前記側面のうち第１方向における一側に位置する部分が入光面をなす、導光板と、
前記入光面に対面して配置された光源と、
前記光源からの光の射出を制御する発光制御部と、を備え、
前記発光制御部は、前記光源に対して移動可能である前記導光板の前記光源に対する位置に応じて或いは人間の接近に応じて、前記光源からの前記光の射出を制御する、照明装置。
【発明の詳細な説明】
【技術分野】
【０００１】
本発明は、照明装置に係り、とりわけ空間を効果的に照明し、照明される部分の意匠性を向上させることができる照明装置に関する。
【背景技術】
【０００２】
光を発光する照明装置が種々の分野で広く利用されている。例えば特許文献１では、透明ガラスに簡単に設置することができ、かつ、当該透明ガラスに接する空間のプライバシー保護を行うことができる照明装置が開示されている。
【先行技術文献】
【特許文献】
【０００３】
【特許文献１】特開２０１６−０５８３２７号公報
【発明の概要】
【発明が解決しようとする課題】
【０００４】
ところで、空間を照明する場合、十分な照度を安定して確保することや、照明される部分の意匠性を向上させることが望まれている。
【０００５】
本発明は、以上の点を考慮してなされたものであり、空間を効果的に照明し、照明される部分の意匠性を向上させることができる照明装置を提供することを目的とする。
【課題を解決するための手段】
【０００６】
本開示による照明装置は、
一対の主面と、一対の前記主面の間に位置する側面と、を有し、前記側面のうち第１方向における一側に位置する部分が入光面をなす、導光板と、
前記入光面に対面して配置された光源と、を備え、
前記光源は、発光体と、前記発光体と前記導光板との間に配置され、前記導光板に対して前記発光体からの光を誘導する光学部材と、を有する。
【０００７】
本開示による照明装置において、前記光学部材は、シリンドリカルレンズであってもよい。
【０００８】
本開示による照明装置において、前記光学部材は、前記導光板の前記入光面に対向する出光面を含む補助導光板であってもよい。
【０００９】
本開示による照明装置において、前記発光体は、発光ダイオードを含んでいてもよい。
【００１０】
本開示による照明装置において、前記発光体は、レーザー光を射出するレーザー光源を含んでいてもよい。
【００１１】
本開示による照明装置において、前記光源は、複数の前記発光体を有し、複数の前記発光体の間で、光束量、配列ピッチおよび発光スペクトルのうち少なくとも１つが異なるようにしてもよい。
【００１２】
本開示による照明装置において、前記側面のうち前記第１方向における他側に位置する部分が、光反射機能、光吸収機能、光散乱機能および光偏向機能のうち少なくとも１つの機能を持つようにしてもよい。
【００１３】
本開示による照明装置において、前記発光体からの光の射出を制御する発光制御部を更に備えていてもよい。
【００１４】
本開示による照明装置において、人間の存在を感知する人感センサを更に備え、前記発光制御部は、前記人感センサが前記人間を感知した場合に、前記発光体から前記光を射出するようにしてもよい。
【００１５】
本開示による照明装置において、前記導光板は、前記光源に対して移動可能であってもよい。
【００１６】
本開示による照明装置において、前記導光板の前記光源に対する位置を検知する位置センサを更に備え、前記発光制御部は、前記導光板の前記光源に対する位置に応じて、前記発光体からの前記光の射出を制御するようにしてもよい。
【００１７】
本開示による照明装置は、
一対の主面と、一対の前記主面の間に位置する側面と、を有し、前記側面のうち第１方向における一側に位置する部分が入光面をなす、導光板と、
前記入光面に対面して配置された光源と、を備え、
前記光源は、複数の発光体を有し、複数の前記発光体の間で、光束量、配列ピッチおよび発光スペクトルのうち少なくとも１つが異なる。
【００１８】
本開示による照明装置は、
一対の主面と、一対の前記主面の間に位置する側面と、を有し、前記側面のうち第１方向における一側に位置する部分が入光面をなす、導光板と、
前記入光面に対面して配置された光源と、を備え、
前記側面のうち前記第１方向における他側に位置する部分が、光反射機能、光吸収機能、光散乱機能および光偏向機能のうち少なくとも１つの機能を持つ。
【００１９】
本開示による照明装置は、
一対の主面と、一対の前記主面の間に位置する側面と、を有し、前記側面のうち第１方向における一側に位置する部分が入光面をなす、導光板と、
前記入光面に対面して配置された光源と、
前記光源からの光の射出を制御する発光制御部と、を備え、
前記発光制御部は、前記光源に対して移動可能である前記導光板の前記光源に対する位置に応じて或いは人間の接近に応じて、前記発光体からの前記光の射出を制御する。
【発明の効果】
【００２０】
本発明によれば、空間を効果的に照明し、照明される部分の意匠性を向上させることができる。
【図面の簡単な説明】
【００２１】
【図１】図１は、本開示の第１の実施の形態を説明するための図であって、照明装置の概略構成を示す横断面図である。
【図２】図２は、図１の照明装置を示す正面図である。
【図３】図３は、図１の照明装置の一具体例を示す横断面図である。
【図４】図４は、図１の照明装置の他の具体例を示す横断面図である。
【図５】図５は、図１の照明装置に含まれる光源を拡大して示す横断面図である。
【図６】図６は、図５に対応する図であって、光源の他の具体例を示す横断面図である。
【図７】図７は、図５に対応する図であって、光源の更に他の具体例を示す横断面図である。
【図８】図８（ａ）−（ｃ）は、図１の照明装置が適用された交換式の照明装置の一具体例を示す正面図である。
【図９】図９（ａ）−（ｃ）は、図１の照明装置が適用された交換式の照明装置の他の具体例を示す正面図である。
【図１０】図１０は、本開示の第２の実施の形態を説明するための図であって、照明装置を示す正面図である。
【図１１】図１１は、図１０に対応する図であって、照明装置の他の具体例を示す正面図である。
【図１２】図１２は、本開示の第３の実施の形態を説明するための図であって、照明装置の概略構成を示す横断面図である。
【図１３】図１３は、図１２に対応する図であって、照明装置の他の具体例を示す横断面図である。
【図１４】図１４は、本開示の第４の実施の形態を説明するための図であって、照明装置の概略構成を示す正面図である。
【発明を実施するための形態】
【００２２】
（第１の実施の形態）
以下、図面を参照して本開示の第１の実施の形態について説明する。なお、本件明細書に添付する図面においては、図示と理解のしやすさの便宜上、適宜縮尺および縦横の寸法比等を、実物のそれらから変更し誇張してある。
【００２３】
なお、本明細書において、「シート」、「板」等の用語は、呼称の違いのみに基づいて、互いから区別されるものではない。したがって、例えば、「シート」はフィルムや板とも呼ばれ得るような部材も含む概念である。
【００２４】
図１乃至図７は本開示による第１の実施の形態を説明するための図である。このうち、図１は、照明装置の概略構成を示す横断面図であり、図２は照明装置を示す正面図である。図３及び図４は照明装置の一具体例を示す横断面図である。図５乃至図７は照明装置に含まれる光源を拡大して示す横断面図である。
【００２５】
図１乃至図７に示された照明装置１０は、エッジライト型の照明装置として構成されている。図１に示すように、照明装置１０は、導光板２０と、導光板２０に対向して配置された光源３０と、を備えている。
【００２６】
導光板２０は、一対の主面２０ａ，２０ｂと、一対の主面２０ａ，２０ｂ間に位置する側面と、を有した板状の部材である。このうち一対の主面２０ａ，２０ｂが出光面２０ａ，２０ｂをなしている。主面２０ａ，２０ｂは、第１方向ｄ１に沿って延びる一対の側縁と、第１方向ｄ１に直交する第２方向ｄ２に沿って延びる一対の側縁と、を有しており、典型的には、正面視矩形形状となる。また、側面は、第１方向ｄ１における一側に位置する部分である入光面２０ｃと、第１方向ｄ１における他側に位置する部分である反対面２０ｄと、を含んでいる。
【００２７】
図１及び図２に示すように、入光面２０ｃは、第１方向ｄ１における第１側ｓ１に位置しており、反対面２０ｄは、第１方向ｄ１における第２側ｓ２に位置している。図２に示すように、入光面２０ｃおよび反対面２０ｄは、それぞれ第２方向ｄ２に沿って延びている。このうち入光面２０ｃは、光源３０の後述する複数の発光体３１に対面している。複数の発光体３１は、入光面２０ｃの長手方向である第２方向ｄ２に沿って、間隔をあけて配列されている。
【００２８】
図１に示すように、光源３０の発光体３１から射出した光は、導光板２０に入射して導光板２０内を進む。導光板２０は、取出要素２１を含んでいる。取出要素２１は、導光板２０内を進む光Ｌ１１，Ｌ１２の進行方向を変化させる。この照明装置１０において、発光体３１から射出した光は、導光板２０に入光面２０ｃから入射し、反射とりわけ全反射することで当該導光板２０内を進む。導光板２０内を進む光Ｌ１１，Ｌ１２は、取出要素２１によって、反射、屈折、散乱等により進行方向を変化させることで、導光板２０の一対の主面２０ａ，２０ｂに全反射臨界角度未満の入射角度で入射して導光板２０から出射することが可能となる。
【００２９】
取出要素２１で進行方向を変えられた光は、一対の主面２０ａ，２０ｂのいずれかを介して、導光板２０から出射する。なお、図示は略すが、一対の主面２０ａ，２０ｂに対面して、光拡散機能を有する透過型光拡散シートを設けてもよい。光拡散シートを設けることにより、透過光の輝度角度分布を整えることができる。また、図示は略すが、一対の主面２０ａ，２０ｂのうち一方の主面に対面して、反射型光拡散シートを設けてもよい。反射型光拡散シートを設けることにより、一方の主面からの光の出射はなくなるものの、他方の主面からの出射光量を増加させることができる。
【００３０】
取出要素２１として、導光板２０内を進む光の進行方向を変更し得る種々の要素を用いることができる。図１に示された例において、導光板２０は、板状の導光板本体２５を有している。導光板本体２５は、導光板２０の一方の主面を形成するようになる面として、凹凸面２５ａを有している。図示された例において、導光板２０の一方の主面２０ｂが、この凹凸面２５ａによって形成されている。凹凸面２５ａは、導光板本体２５に凹部２５ｂを設けることで形成されている。この例において、導光板本体２５は、可視光透過性を有した樹脂から形成され得る。
【００３１】
他の例として、取出要素２１は、図３に示すように、導光板本体２５に積層された光散乱層２６とすることができる。図３に示された例において、導光板２０は、導光板本体２５および光散乱層２６を有している。光散乱層２６は、バインダーとして機能する支持層２６ａと、支持層２６ａ内に分散した光散乱要素２６ｂと、を有している。支持層２６ａは、可視光透過性を有した樹脂から形成され得る。光散乱要素２６ｂは、反射、屈折、回折等によって、光散乱層２６内を進行する光の進行方向を変化させる機能を有している。光散乱要素２６ｂは、支持層２６ａと異なる屈折率を有していてもよいし、金属等の光反射性を有した材料によって形成されていてもよい。光散乱要素２６ｂの具体例として、金属化合物、気体を含有した多孔質物質、金属化合物を周囲に保持した樹脂ビーズ、白色微粒子、気泡、周囲と屈折率が異なる粒子が、例示され得る。図３に示された例において、一対の主面２０ａ，２０ｂでの反射により導光板２０内を進む光Ｌ３１，Ｌ３２は、光散乱層２６内で光散乱要素２６ｂと衝突することで進行方向を変化させ、その後、導光板２０から出射することが可能となる。
【００３２】
なお、図３の例において、光散乱層２６の支持層２６ａの屈折率は、導光板本体２５の屈折率以上となっていることが好ましい。光散乱層２６の支持層２６ａの屈折率が導光板本体２５の屈折率よりも低いと、導光板本体２５内を進む光Ｌ３３が、導光板本体２５と光散乱層２６との界面で全反射して、光散乱層２６に入射できない可能性がある。このような光Ｌ３３は、入光面２０ｃから導光板２０に入射した後、導光板本体２５内を反対面２０ｄまで進むことになる。このような光の存在は、光源３０のエネルギー効率を低下させてしまうことになる。支持層２６ａの屈折率を導光板本体２５の屈折率以上とすることで、導光板本体２５と光散乱層２６との界面での全反射を効果的に防止して、光散乱層２６が取出要素２１としてより効果的に機能し得る。
【００３３】
さらに他の例として、図４に示すように、取出要素２１として機能する光散乱要素２７が、導光板本体２５内に分散していてもよい。図４に示された導光板２０では、導光板本体２５内を進む光Ｌ４１が、光散乱要素２７に衝突することで散乱し、導光板２０から出射することができる。光散乱要素２７としては、上述した光散乱要素２６ｂと同様に構成され得る。
【００３４】
また、導光板２０は、複数種類の取出要素２１を含むようにしてもよい。図４に示された例において、導光板２０の導光板本体２５は、光散乱要素２７を含有し、さらに導光板２０の一方の主面２０ｂを構成する凹凸面２５ａを有している。
【００３５】
さらに、導光板２０の各領域での取出要素２１に起因した光散乱能は、一定ではなく、異なっていてもよい。すなわち、導光板２０の光散乱能が、板面に沿った各領域で変化するようにしてもよい。さらに言い換えると、導光板２０の或る領域での光散乱能は、当該領域から板面に沿ってずれた他の領域での光散乱能と異なっていてもよい。導光板２０のパネル面に沿った各領域での光散乱能を変化させることにより、各領域からの出射光量を調節することが可能となる。
【００３６】
光散乱能は、導光板２０がその内部を通過する光を散乱させる性能の強さのことである。光散乱能の程度は、例えば、導光板２０の或る領域において、入光面２０ｃから入射した光束と、入光面２０ｃと当該領域との間において、散乱されて外部に取り出された光束の割合で評価することができる。また、光散乱能は、取出要素２１の形状や配置等を調整することにより調整することができる。光散乱能を調整することにより、発光体３１が光を発光していないときに、導光板２０をほぼ透明にすることもできる。導光板２０をほぼ透明にすることにより、一対の主面２０ａ,２０ｂのうち一方の主面（例えば主面２０ａ）の側から導光板２０を観察する観察者は、発光体３１が光を発光していないときに、他方の主面（例えば主面２０ｂ）の側の空間を視認することができる。なお、この場合、導光板２０のヘイズ値［％］を１０％以下に抑えることが望ましい。
【００３７】
図１に示すように、取出要素２１が、導光板２０の主面２０ａ，２０ｂに設けられた凹凸である場合には、板面に沿った単位面積のうちの凹凸が設けられている面積の割合、すなわち面積比を高くすることで、光散乱能を高くすることができる。また、取出要素２１が、凹部２５ｂまたは凸部によって形成された凹凸面２５ａである場合には、凹部２５ｂの深さＨ１又は凸部の高さの導光板２０の厚さＨ２に対する比の値、すなわちＨ１／Ｈ２の値を大きくすることで、光散乱能を高くすることができる。取出要素２１が、導光板２０に含有される光散乱要素２６ｂ，２７を含む場合には、導光板２０内における光散乱要素２６ｂ，２７の体積比を高めること、粒子密度を高めること、粒径を大きくすること、光散乱要素２６ｂ，２７が形成する界面の屈折率差を大きくすることで、光散乱能を高くすることができる。
【００３８】
また、このような導光板２０は、光源３０に対して移動可能に構成されていてもよい。この場合、導光板２０の光源３０に対する位置を変更することにより、導光板２０から出光する光の輝度を調節することもできる。
【００３９】
光源（光源装置）３０は、導光板２０の入光面２０ｃに対向して配置されている。この光源３０は、光を発光する発光体３１と、発光体３１と導光板２０との間に配置され、導光板２０に対して発光体３１からの光を誘導する光学部材３２と、を有している。また、本実施の形態において、発光体３１と光学部材３２とを収容する筐体３３が設けられている。この場合、光源３０が劣化した際には、筐体３３を構造体から取り外すことにより、光源３０を容易に交換することができる。
【００４０】
発光体３１は、特に限定されることなく、光を発光する種々の部材を広く用いることができる。具体的には、例えば、冷陰極管、点状の発光ダイオード（ＬＥＤ）、白熱電球、レーザー光を射出するレーザー光源等を、光源３０の発光体３１として、用いることができる。図示された例において、光源３０は、複数の点状の発光体３１を有している。この発光体３１は、例えば発光ダイオードまたはレーザー光源によって構成される。図２に示すように、複数の発光体３１は、第２方向ｄ２に沿って、間隔をあけて配列されている。
【００４１】
光学部材３２は、上述したように、導光板２０に対して発光体３１からの光を誘導するためのものである。本実施の形態において、この光学部材３２は、凸レンズとして、発光体３１からの光に対してレンズ作用を及ぼす。すなわち、光学部材３２は、発散光束や平行光束が焦点としての点または或る程度の限られた領域を通過するように、当該光束の光路を曲げる機能を有している。図５および図６に示すように、焦点としての点または或る程度の限られた領域の近傍に、導光板２０の入光面２０ｃを位置することで、発光体３１から射出した光Ｌ５１，Ｌ５２，Ｌ５３，Ｌ６１，Ｌ６２，Ｌ６３を高効率で導光板２０内に誘導することができる。また、図５に示すように、このような光学部材３２の幅Ｈ３は、導光板２０の厚さＨ２よりも大きいことが好ましい。すなわち、図５の仮想線（二点鎖線）で示すように、光学部材３２０の幅Ｈ３０が導光板２０の厚さＨ２よりも小さい場合、光学部材３２０が、発光体３１から射出した光Ｌ５１，Ｌ５３に対してレンズ作用を及ぼすことが困難になる。これにより、光Ｌ５１，Ｌ５３が導光板２０内に誘導されることなく、光Ｌ５１０，Ｌ５３０のように外部に出光する。このため、発光体３１からの光を導光板２０に誘導する効率が低下する可能性がある。これに対して、光学部材３２の幅Ｈ３を導光板２０の厚さＨ２よりも大きくすることにより、発光体３１から射出した光Ｌ５１，Ｌ５３に対しても、光学部材３２が確実にレンズ作用を及ぼすことができる。このため、発光体３１からの光を導光板２０内に誘導する効率を高めることができる。本実施の形態において、このような光学部材３２は、例えばシリンドリカルレンズとして構成されている。ただし、この例に限られず、光学部材３２は、各発光体３１に対応してそれぞれ設けられた複数のレンズを有するようにしてもよい。また、光学部材３２は、フレネルレンズであってもよい。この場合、光学部材３２の第１方向ｄ１に沿った厚みを薄くすることができるとともに、光学部材３２の軽量化を図ることができる。
【００４２】
図５に示された例において、光学部材３２は、発光体３１から、発光体３１の発光面３１ａに対する法線方向（図５における第１方向ｄ１）に沿って、発光面３１ａの側に突出した凸レンズを有している。図示する例では、光学部材３２は、光学部材３２の幅方向と第１方向ｄ１との両方に沿った断面において、楕円乃至円の一部をなす形状を有している。そして、この断面形状は、第２方向ｄ２に沿って一定となっている。一方、図６に示された例において、光学部材３２は、発光体３１から、発光体３１の発光面３１ａに対する法線方向（図６における第１方向ｄ１）に沿って、発光面３１ａとは反対の側に突出した凸レンズを有している。さらに、光学部材３２は、発光体３１から、発光体３１の発光面３１ａに対する法線方向（図５および図６における第１方向ｄ１）に沿って両側に突出した凸レンズを有するようにしてもよい。
【００４３】
なお、このようなシリンドリカルレンズをなす材料は、光を多く透過することができるよう、透明性の高い材料が好ましい。シリンドリカルレンズをなす材料として、各種のガラスが用いられ、また、アクリル、ポリカーボネートなどの樹脂材料を用いてもよい。また、二液硬化樹脂、熱硬化樹脂、紫外線硬化樹脂を用いることができ、具体的には、ウレタンアクリレート、エポキシアクリレート、ポリエステルアクリレート等を用いることができる。
【００４４】
他の例として、光学部材３２は、図７に示すように、導光板２０の入光面２０ｃに対向する出光面３２ａを含む補助導光板３２Ａとすることができる。図７に示された例において、補助導光板３２Ａは、出光面３２ａと、出光面３２ａに対向して配置された入光面３２ｂと、出光面３２ａと入光面３２ｂとの間に位置する側面と、を有した板状の部材である。入光面３２ｂは、第１方向ｄ１における第１側ｓ１に位置しており、出光面３２ａは第１方向ｄ１における第２側ｓ２に位置している。入光面３２ｂおよび出光面３２ａは、図示はしないがそれぞれ第２方向ｄ２に延びている。このうち入光面３２ｂは、光源３０の複数の発光体３１に対面している。また、補助導光板３２Ａは、導光板２０の取出要素２１のような取出要素は含んでいない。図７に示すように、光源３０の発光体３１から射出した光は、補助導光板３２Ａに入光面３２ｂから入射し、側面で反射、とりわけ側面で全反射することで当該補助導光板３２Ａ内を進む。ここで、補助導光板３２Ａには取出要素が含まれていないため、補助導光板３２Ａ内を進む光Ｌ７１，Ｌ７２は、第１方向ｄ１へ進み、その後、補助導光板３２Ａの出光面３２ａから出射する。このようにして、補助導光板３２Ａは、発光体３１から射出され光を導光板２０に対して誘導する。このような補助導光板３２Ａは、発光体３１を導光板２０の入光面２０ｃの近傍に配置できない場合においても、発光体３１からの光を導光板２０内に高効率で誘導することができる。
【００４５】
次に、以上のような構成からなる照明装置１０の作用について説明する。
【００４６】
まず、図５に示すように、光源３０の発光体３１で発光された光は、光学部材３２に入射する。発光体３１で発光された光が光学部材３２に入射する際、例えば光学部材３２のレンズ作用によって、当該光の光路が曲げられる。次に、光学部材３２に入射した光Ｌ５１，Ｌ５２，Ｌ５３は、光学部材３２内を進み、光学部材３２から出光する。光学部材３２は、発光体３１からの光を高効率で導光板２０に誘導する。例えば、図５及び図６に示された例では、光学部材３２のレンズが、導光板２０の入光面２０ｃの近傍に集光し、このレンズ作用によって、発光体３１から射出した光を導光板２０に高効率で誘導することができる。また、図７に示された例では、発光体３１から射出した光が、光学部材３２の補助導光板３２Ａ内を進んで、発光体３１の発光面３１ａから離間した導光板２０の入光面２０ｃに向かうことで、発光体３１から射出した光を導光板２０に高効率で誘導することができる。
【００４７】
次に、光学部材３２から出光した光は、導光板２０の入光面２０ｃを介し、導光板２０に入射する。図１に示すように、導光板２０へ入射した光Ｌ１１，Ｌ１２は、導光板２０の一対の主面２０ａ，２０ｂにおいて、反射、とりわけ導光板２０をなす材料と空気との屈折率差に起因して全反射を繰り返し、導光板２０の入光面２０ｃと反対面２０ｄとを結ぶ第１方向ｄ１へ進んでいく。
【００４８】
次いで、図１に示すように、導光板２０内を進む光Ｌ１１，Ｌ１２は、取出要素２１によって進行方向を変化、とりわけ散乱させられる。これにより、光Ｌ１１，Ｌ１２は、導光板２０の一対の主面２０ａ，２０ｂに全反射臨界角度未満の入射角度で入射して、一対の主面２０ａ，２０ｂのいずれかを介して、導光板２０から出射する。このようにして、導光板２０から光が出射することにより、照明装置１０が所定の領域を照明することができる。
【００４９】
ところで、従来の照明装置では、光源の発光体は、発光体と導光板との間に別部材を配置することなく、導光板の入光面に対向して配置されていた。このため、導光板が光源に対して移動可能に構成されている場合、従来の照明装置では、導光板が光源の発光体に接触し、発光体が損傷を受ける可能性があった。
【００５０】
その一方で、本実施の形態による照明装置１０では、このような従来の不具合を解消することができる。まず、本実施の形態による照明装置１０では、発光体３１と導光板２０との間に光学部材３２配置されている。これにより、導光板２０が光源３０に対して移動可能に構成されている場合であっても、導光板２０が光源３０の発光体３１に接触することを防止することができる。このため、発光体３１が損傷を受けることを抑制することができる。
【００５１】
以上のような本実施の形態において、照明装置１０は、導光板２０と、光源３０と、を備えている。光源３０は、発光体３１と、発光体３１と導光板２０との間に配置され、導光板２０に対して発光体３１からの光を誘導する光学部材３２と、を有している。このような照明装置１０によれば、発光体３１と導光板２０との間に光学部材３２が配置されているため、発光体３１の発光面３１ａが外方に露出することを防止できる。このため、発光体３１に傷が付くことを抑制できる。また、発光体３１と導光板２０との間に光学部材３２が配置されているため、発光体３１の熱が導光板２０に伝わることを抑制できる。このため、導光板２０に対して熱損傷を与えることを抑制できる。とりわけ、導光板２０が耐熱性の低い樹脂によって形成されている場合においても、導光板２０が発光体３１の熱によって損傷を受けることを抑制できる。さらに、このような照明装置１０によれば、簡易な構成により、発光体３１からの光を導光板２０に高効率で誘導することができ、導光板２０が一対の主面２０ａ，２０ｂから効果的に光を出射させることができる。このため、照明装置１０を優れたエネルギー効率で利用し、照明装置１０により空間を効果的に照明することができる。
【００５２】
また、本実施の形態において、導光板２０は、光源３０に対して移動可能である。また、本実施の形態による照明装置１０では、発光体３１と導光板２０との間に光学部材３２が配置されている。これにより、導光板２０が移動した際に、導光板２０が光源３０の発光体３１に接触することを防止することができる。このため、発光体３１が損傷を受けることを抑制することができる。
【００５３】
このような照明装置１０は、一例として、図８（ａ）−（ｃ）及び図９（ａ）−（ｃ）に示された交換式の照明装置１０として適用することができる。図８及び図９に示す交換式の照明装置１０は、複数の導光板２０Ａ，２０Ｂ，２０Ｃを有しており、各々の導光板２０Ａ，２０Ｂ，２０Ｃは、光源３０に対して取り外し可能に構成されている。図８に示された例において、複数の導光板２０Ａ，２０Ｂ，２０Ｃは、第１方向ｄ１に沿った長さが互いに異なっている。具体的には、図８（ａ）に示す導光板２０Ａの第１方向ｄ１に沿った長さは、図８（ｂ）に示す導光板２０Ｂの第１方向ｄ１に沿った長さよりも小さくなっている。また、図８（ｂ）に示す導光板２０Ｂの第１方向ｄ１に沿った長さは、図８（ｃ）に示す導光板２０Ｃの第１方向ｄ１に沿った長さよりも小さくなっている。このように、各々の導光板２０Ａ，２０Ｂ，２０Ｃが第１方向ｄ１に沿って、互いに異なる長さを有することにより、照明装置１０が照明したい領域や、照明する空間の雰囲気に応じて、照明装置１０の大きさを変えることができる。このため、照明装置１０が照明する空間の雰囲気を効果的に高めることができる。
【００５４】
また、図９に示された例において、複数の導光板２０Ａ，２０Ｂ，２０Ｃは、発光体３１が光を発行した際に、一対の主面２０ａ，２０ｂの意匠が互いに異なるように構成されている。具体的には、図９（ａ）に示す導光板２０Ａは、発光体３１が光を発行した際に、一対の主面２０ａ，２０ｂから一様に光を出射させるように構成されている。図９（ｂ）に示す導光板２０Ｂは、発光体３１が光を発行した際に、一対の主面２０ａ，２０ｂから、例えば「ＡＢＣ」等の文字が浮き出るように構成されている。この場合、例えば、文字が浮き出る領域のみに取出要素２１を含むことにより、一対の主面２０ａ，２０ｂから文字が浮き出るようにすることができる。図９（ｃ）に示す導光板２０Ｃは、発光体３１が発光した際に、一対の主面２０ａ，２０ｂから模様が浮き出るように構成されている。この場合、例えば、取出要素２１を、図９（ｃ）において黒く塗りつぶされた領域以外に取出要素２１を含むことにより、一対の主面２０ａ，２０ｂから図９（ｃ）に示すような模様が浮き出るようにすることができる。このように、各々の導光板２０Ａ，２０Ｂ，２０Ｃの一対の主面２０ａ，２０ｂが互いに異なる意匠を有することにより、照明装置１０により照明される部分の意匠を空間の雰囲気に応じて変えることができ、照明装置１０により照明される部分の意匠性を向上させることができる。なお、図示は略すが、一の導光板２０において、主面２０ａと主面２０ｂとの意匠が互いに異なっていてもよい。
【００５５】
次に、図１０及び図１１を参照して、第２の実施の形態について説明する。なお、第２の実施の形態に関する以下の説明および第２の実施の形態の説明で用いる図面では、上述した第１の実施の形態と同様に構成され得る部分について、上述の第１の実施の形態における対応する部分に対して用いた符号と同一の符号を用いるとともに、重複する説明を省略する。
【００５６】
図１０及び図１１は、照明装置を示す正面図である。図１０及び図１１に示すように、第２の実施の形態における照明装置１０は、光源３０に含まれる複数の発光体３１の間で、光束量、配列ピッチおよび発光スペクトルのうち少なくとも１つが異なっている点において他の実施の形態と異なり、その他の点においては、他の実施の形態と同様に構成され得る。
【００５７】
複数の発光体３１の間で、光束量が異なっている場合、図１０に示すように、一対の主面２０ａ，２０ｂの或る位置からの出射光量が、第２方向ｄ２に沿って変化する。図示された例においては、一対の主面２０ａ，２０ｂの或る位置からの出射光量が、当該位置よりも下方に位置する一対の主面２０ａ，２０ｂの他の或る位置からの出射光量よりも多くなっている。
【００５８】
また、複数の発光体３１の間で、配列ピッチが異なっている場合、図１１に示すように、一対の主面２０ａ，２０ｂの或る位置からの出射光量が、第２方向ｄ２に沿って変化する。この場合においても、図示された例においては、一対の主面２０ａ，２０ｂの或る位置からの出射光量が、当該位置よりも下方に位置する一対の主面２０ａ，２０ｂの他の或る位置からの出射光量よりも多なっている。
【００５９】
また、複数の発光体３１の間で、発光スペクトルが異なっている場合、一対の主面２０ａ，２０ｂの或る位置からの出射光による発光色が、第２方向ｄ２に沿って、異なるようにすることができる。
【００６０】
なお、図１０及び図１１では、照明装置１０からの出射光量を濃淡により示しており、出射光量が多くなる領域を「濃」で表している。
【００６１】
以上説明したように、第２の実施の形態によれば、光源３０は、複数の発光体３１を有し、複数の発光体３１の間で、光束量、配列ピッチおよび発光スペクトルのうち少なくとも１つが異なっている。これにより、一対の主面２０ａ，２０ｂの或る位置からの出射光量または発光色を、第２方向ｄ２に沿って変化させることができる。このため、照明装置１０により照明される部分の意匠性を向上させることができる。
【００６２】
また、複数の発光体３１の間で、光束量または配列ピッチが異なることにより、一対の主面２０ａ，２０ｂの或る位置からの出射光量が、第２方向ｄ２に沿って変化した場合、照明装置１０が照明する空間の雰囲気を効果的に高めることができる。すなわち、照明装置１０が、例えば建物の構成要素である壁に適用された場合、例えば空間の天井側を集中的に明るくすることにより、空間をより遠くまで照明することができる。また、例えば空間の地面側を集中的に明るくすることにより、足元を集中的に明るくすることができ、例えば階段等における安全性を向上させることができる。
【００６３】
なお、図示は略すが、光源３０が、上述した光学部材３２を有していてもよい。また、光束量、配列ピッチおよび発光スペクトルの変化は、種々の態様で実現され、図示された例に限定されるものではない。
【００６４】
次に、図１２及び図１３を参照して、第３の実施の形態について説明する。なお、第３の実施の形態に関する以下の説明および第３の実施の形態の説明で用いる図面では、上述した第１又は第２の実施の形態と同様に構成され得る部分について、上述の第１又は第２の実施の形態における対応する部分に対して用いた符号と同一の符号を用いるとともに、重複する説明を省略する。
【００６５】
図１２及び図１３は、照明装置を示す横断面図である。図１２及び図１３に示すように、第３の実施の形態における照明装置１０は、反対面２０ｄが、光反射機能、光吸収機能、光散乱機能および光偏向機能のうち少なくとも１つの機能を持っている点において他の実施の形態と異なり、その他の点においては、他の実施の形態と同様に構成され得る。
【００６６】
導光板２０を進む光は、取出要素２１によって進行方向を変化させられなかった場合、反対面２０ｄを介して導光板２０から出射する。このとき、反対面２０ｄが明るく観察されてしまうことがあり、照明装置１０の用途等によっては、意匠性低下、不調和、違和感等の原因となる。そこで、第３の実施の形態では、光反射機能、光吸収機能、光散乱機能および光偏向機能のうち少なくとも１つの機能を、反対面２０ｄに付与している。
【００６７】
光反射機能は、例えば、図１２に示すように、導光板本体２５の第１方向ｄ１における第２側ｓ２の面に、光を反射する光反射層２８ａを設けることで、反対面２０ｄに付与され得る。一具体例として、アルミニウムや銀等の金属の蒸着膜や転写箔によって、光反射層２８ａを形成することができる。反対面２０ｄが光反射機能を有している場合、反対面２０ｄに到達した光Ｌ１１１は、反対面２０ｄでの反射により、第１方向ｄ１に沿った進行方向を折り返す。この光Ｌ１１１は、その後に取出要素によって進行方向を変化させられることで、照明に有効に用いられるようになる。すなわち、これまで不具合の原因となっていた光を、照明光として有効に利用することができる。
【００６８】
次に、光吸収機能は、例えば、導光板本体２５の第１方向ｄ１における第２側ｓ２の面に、可視光を吸収する機能を有した光吸収層２８ｂを設けることで、反対面２０ｄに付与され得る。一具体例として、顔料を含有した層、すなわち着色層によって、光吸収層２８ｂを形成することができる。反対面２０ｄが光吸収機能を有することで、反対面２０ｄからの光の漏出を効果的に防止することができる。
【００６９】
光散乱機能は、例えば、導光板本体２５の第１方向ｄ１における第２側ｓ２の面に光散乱粒子を含有した光散乱層２８ｃを設けることや、導光板本体２５の第１方向ｄ１における第２側ｓ２の面を凹凸面にすることで、反対面２０ｄに付与され得る。反対面２０ｄが光散乱機能を有することで、反対面２０ｄからの光の漏出を効果的に目立たなくさせることができる。
【００７０】
光偏向機能は、例えば、図１３に示すように、反対面２０ｄを一対の主面２０ａ，２０ｂに対して傾斜させることにより、反対面２０ｄに付与することができる。反対面２０ｄが光偏向機能を有することで、反対面２０ｄに到達した光Ｌ１２１の光路が、反対面２０ｄにおいて偏向される。このようにして、例えば、観察者によって視認され得ない方向に反対面２０ｄからの出射光を向けることで、反対面２０ｄからの光の漏出を効果的に目立たなくさせることができる。
【００７１】
以上説明したように、第３の実施の形態によれば、反対面２０ｄが、光反射機能、光吸収機能、光散乱機能および光偏向機能のうち少なくとも１つの機能を持っている。これにより、照明装置１０を反対面２０ｄ側から見た際に、光源３０の発光体３１が観察者に明部または輝点として視認され、照明装置の意匠性を害することを効果的に抑制することができる。
【００７２】
なお、図示は略すが、光源３０が、上述した光学部材３２を有していてもよい。また、光源３０に含まれる複数の発光体３１の間で、光束量、配列ピッチおよび発光スペクトルのうち少なくとも１つが異なっているようにしてもよい。
【００７３】
次に、図１４を参照して、第４の実施の形態について説明する。なお、第４の実施の形態に関する以下の説明および第４の実施の形態の説明で用いる図面では、上述した第１乃至第３の実施の形態のいずれかと同様に構成され得る部分について、上述の第１乃至第３の実施の形態における対応する部分に対して用いた符号と同一の符号を用いるとともに、重複する説明を省略する。
【００７４】
図１４は、照明装置１０を示す正面図である。図１４に示すように、第４の実施の形態における照明装置１０は、発光体３１からの光の射出を制御する発光制御部１１を備えており、この発光制御部１１が、発光体３１による光の射出タイミングまたは発光体３１から射出される光の光量を制御する点において他の実施の形態と異なり、その他の点においては、他の実施の形態と同様に構成され得る。
【００７５】
図１４に示された例において、照明装置１０は、導光板２０の光源３０に対する位置を検知する位置センサ１２を更に備え、発光制御部１１は、導光板２０の光源３０に対する位置に応じて、発光体３１からの光の射出を制御する。この際、発光制御部１１は、導光板２０が光源３０の近傍に位置付けられていることを位置センサ１２が検出した場合、発光体３１から光を射出するように光源３０の発光体３１を制御してもよい。また、導光板２０が光源３０から離れた場合に、発光体３１による光の射出を停止するように発光体３１を制御してもよい。その一方で、照明装置１０の適用に応じて、発光制御部１１は、位置センサ１２が導光板２０の移動を検知しない場合には、発光体３１による光の射出を停止し、位置センサ１２が導光板２０の移動を検知した場合に、発光体３１から光を射出するように、発光体３１からの光の射出を制御してもよい。
【００７６】
また、照明装置１０は、人間の存在を感知する人感センサ１３を更に備えていてもよい。この場合、発光制御部１１は、人感センサ１３が人間を感知した場合に、発光体３１から光を射出するように光源３０の発光体３１を制御するようにしてもよい。すなわち、例えば、発光制御部１１は、人感センサ１３が人間の接近を感知しない場合には、発光体３１による光の射出を停止し、人感センサ１３が人間の接近を感知した場合に、発光体３１から光を射出するように、発光体３１からの光の射出を制御してもよい。
【００７７】
以上説明したように、第４の実施の形態によれば、照明装置１０は、発光体３１からの光の射出を制御する発光制御部１１を更に備えている。これにより、照明装置１０の発光体３１からの光の射出を制御することができ、省エネルギー化を図ることができる。
【００７８】
また、本実施の形態によれば、照明装置１０は、導光板２０の光源３０に対する位置を検知する位置センサ１２を備えている。これにより、発光制御部１１は、導光板２０の光源３０に対する位置に応じて、発光体３１からの光の射出を制御することができ、省エネルギー化を図ることができる。
【００７９】
また、本実施の形態によれば、照明装置１０は、人間の存在を感知する人感センサ１３を更に備えている。これにより、発光制御部１１は、人感センサ１３が人間を感知した場合に、発光体３１から光を射出するように光源３０の発光体３１を制御することができ、省エネルギー化を図ることができる。
【００８０】
なお、図示は略すが、光源３０が、上述した光学部材３２を有していてもよい。また、光源３０に含まれる複数の発光体３１の間で、光束量、配列ピッチおよび発光スペクトルのうち少なくとも１つが異なっているようにしてもよい。さらに、導光板２０の反対面２０ｄが、光反射機能、光吸収機能、光散乱機能および光偏向機能のうち少なくとも１つの機能を持っているようにしてもよい。
【００８１】
なお、以上において各実施の形態に対する具体例および変形例を説明してきたが、当然に、複数の例を適宜組み合わせて適用することも可能である。
【００８２】
以上に説明した照明装置１０は、一例として以下の用途に適用することができる。
・建物の構成要素である天井、壁または床等の構造体への適用
・建築部材、例えば窓、天窓またはドア等への適用
【符号の説明】
【００８３】
１０    照明装置
１１    発光制御部
１２    位置センサ
１３    人感センサ
２０、２０Ａ、２０Ｂ、２０Ｃ  導光板
２０ａ、２０ｂ  主面
２０ｃ  入光面
２０ｄ  反対面
３０    光源
３１    発光体
３２    光学部材
３２Ａ  補助導光板
３２ａ  出光面
【図１】
2019075352.tif 000003
【図２】
2019075352.tif 000004
【図３】
2019075352.tif 000005
【図４】
2019075352.tif 000006
【図５】
2019075352.tif 000007
【図６】
2019075352.tif 000008
【図７】
2019075352.tif 000009
【図８】
2019075352.tif 000010
【図９】
2019075352.tif 000011
【図１０】
2019075352.tif 000012
【図１１】
2019075352.tif 000013
【図１２】
2019075352.tif 000014
【図１３】
2019075352.tif 000015
【図１４】
2019075352.tif 000016